(57)【特許請求の範囲】
【請求項１】
リール脚が載置されるリール脚載置面を有するリールシート本体と、
少なくとも１つが前後に移動する移動フードであって一対の対向する開口部を有する一対のフードと、
前記移動フードの移動長さに対応して前記リールシート本体に形成され、前記移動フードを案内する案内部と、
前記移動フードに設けられた係止爪が係合し、移動フードの位置を固定するように前記リールシート本体に設けられた移動フード係止凹凸部材と、
前記案内部の一端に装着され、前記移動フードを案内部から抜け止めする抜け止め部材と、
を有するリールシートにおいて、
前記リールシート本体と抜け止め部材は、それぞれ、上下方向に開口する第１凹部と、前記第１凹部に入り込んで第１凹部の軸方向内面に当て付いて軸方向の移動を規制する凸部を備え、
前記第１凹部の内面には、前記凸部に対応して第２凹部が形成されており、
少なくとも前記第２凹部内に凹部埋部材が充填されていることを特徴とするリールシート。
【請求項２】
前記凹部埋部材は、前記抜け止め部材と別体であり、前記凸部の上方側の隙間に充填されていることを特徴とする請求項１に記載のリールシート。
【請求項３】
前記凸部は、前記凹部埋部材であり、前記抜け止め部材と一体化されていることを特徴とする請求項１に記載のリールシート。
【請求項４】
前記抜け止め部材は、前記移動フード係止凹凸部材の端部を保持していることを特徴とする請求項１から３のいずれか１項に記載のリールシート。
【発明の詳細な説明】
【技術分野】
【０００１】
本発明は、釣竿に取り付けられ、各種リールを装着可能にするリールシートに関する。
【背景技術】
【０００２】
一般的に、魚釣用リールが装着される釣竿には、リール脚を固定するための固定フードと移動フードとを具備したリールシートが設けられており、このようなリールシートとして、例えば、特許文献１に開示されているようなスライド方式が知られている。この方式のリールシートは、一端側に固定フードを、他端側に移動フードを配設し、前記移動フードに緊締レバーを一体的に設けた構成となっている。前記緊締レバーは、起伏可能となっており、緊締レバーを起こすことで緊締レバーと共に移動フードを軸方向に移動させるよう構成されている。そして、移動フードの内面をリール脚に当て付けた状態で緊締レバーを倒し、その係止部（爪）をシート本体に設けられた係止凹凸部材に係合させることで、リールを締め付け固定するようになっている。
【０００３】
このようなスライド方式のリールシートは、特許文献１にも開示されているように、前記移動フードを軸方向に沿って安定して案内するためのガイド溝を備えており、移動フードは、軸方向からガイド溝に沿って配設されるようになっている。このため、移動フードを装着した後、移動フードがガイド溝から軸方向に抜けないように抜け止め部材（受止体）を配設している。
【０００４】
前記抜け止め部材は、移動フードが当て付く部分となっているため、リールシート（シート本体）に対して軸方向に外れることなく、さらに、上下方向にも外れないように構成する必要がある。このため、特許文献１に開示されている抜け止め部材は、その裏側に、第１突起と第２突起を形成し、第１突起をシート本体に形成した第１受止部に当接受止めして軸方向への移動を規制し、かつ、第２突起を弾性変形可能に構成し、これをシート本体に形成した第２受止部に弾性変形させながら係合させて、上下方向への移動を規制（上方への抜けを規制）している。
【先行技術文献】
【特許文献】
【０００５】
【特許文献１】特開２０１１−６７１２０号
【発明の概要】
【発明が解決しようとする課題】
【０００６】
上記した構成の抜け止め部材は、２つの部材、すなわち、第１突起の当接によって軸方向の移動を規制し、第２突起の弾性変形によって上方への外れを防止して位置決めをしているため、がたつきが生じ易く、移動フードが当接することで外れる恐れがある。この場合、がたつきを無くすためには、裏面に形成する第１突起と第１受止部との間、及び第２突起と第２受止部との間に寸法精度が必要となるため、製造が煩雑になると共に、装着時では、弾性変形させる第２突起が破損し易い構造となってしまう。
【０００７】
本発明は、上記した問題に着目してなされたものであり、移動フードの抜け止め部材をがたつき無く、容易かつ確実に固定したリールシートを提供することを目的とする。
【課題を解決するための手段】
【０００８】
上記した目的を達成するために、本発明に係るリールシートは、リール脚が載置されるリール脚載置面を有するリールシート本体と、少なくとも１つが前後に移動する移動フードであって一対の対向する開口部を有する一対のフードと、前記移動フードの移動長さに対応して前記リールシート本体に形成され、前記移動フードを案内する案内部と、前記移動フードに設けられた係止爪が係合し、移動フードの位置を固定するように前記リールシート本体に設けられた移動フード係止凹凸部材と、前記案内部の一端に装着され、前記移動フードを案内部から抜け止めする抜け止め部材と、を有しており、前記リールシート本体と抜け止め部材は、それぞれ、上下方向に開口する第１凹部と、前記第１凹部に入り込んで第１凹部の軸方向内面に当て付いて軸方向の移動を規制する凸部を備え、前記第１凹部の内面には、前記凸部に対応して第２凹部が形成されており、少なくとも前記第２凹部内に凹部埋部材が充填されていることを特徴とする。
【０００９】
上記した構成のリールシートでは、抜け止め部材の凸部を、リールシート本体に形成された第１凹部内に設置すると、その凸部が第１凹部の軸方向内面に当て付くことで軸方向への移動が規制され、軸方向への抜け止めがなされる。また、リールシート本体の第１凹部の内面には、前記凸部に対応して第２凹部が形成されており、その部分に凹部埋部材が充填されることから、抜け止め部材をリールシート本体に装着すると抜け止め部材が上方に外れることが抑制される。このように、リールシート側の第１凹部と抜け止め部材の凸部との係合関係、及び、第１凹部の内面に第２凹部を形成して、その部分に凹部埋部材を充填するだけの簡単な構造であることから、高い寸法精度が必要とされず、がたつきも防止される。
【００１０】
なお、上記した構成において、凹部埋部材は、抜け止め部材とは別体の接着材等によって構成されていても良いし、抜け止め部材と一体化されて第２凹部内に充填される構成であっても良い。
【発明の効果】
【００１１】
本発明によれば、移動フードの抜け止め部材をがたつき無く、容易かつ確実に固定したリールシートが得られる。
【図面の簡単な説明】
【００１２】
【図１】本発明に係るリールシートの実施形態を示す側面図。
【図２】図１に示すリールシートの平面図。
【図３】移動フードと抜け止め部材をリールシート本体から取り外した状態を示す平面図。
【図４】移動フードと抜け止め部材をリールシート本体から取り外した状態を示す側面図。
【図５】移動フードを後方側から見た図。
【図６】図１のＡ−Ａ線に沿った断面図。
【図７】図１のＢ−Ｂ線に沿った断面図。
【図８】図７の要部拡大図。
【図９】図１のＣ−Ｃ線に沿った断面図。
【図１０】図８に示した構成の第１変形例を示す図。
【図１１】図８に示した構成の第２変形例を示す図。
【発明を実施するための形態】
【００１３】
以下、本発明に係るリールシートの一実施形態について、添付図面を参照して具体的に説明する。  
図１から図５は、本発明に係るリールシートの基本構成を示しており、図１は側面図、図２は平面図、図３は移動フードと抜け止め部材をリールシート本体から取り外した状態を示す平面図、図４は移動フードと抜け止め部材をリールシート本体から取り外した状態を示す側面図、そして、図５は移動フードを後方側から見た図である。なお、以下の実施形態では、釣竿の軸方向Ｘに対して、図２で示す直交するＹ方向を左右方向と定義し、図１で示す直交するＺ方向を上下方向と定義する。
【００１４】
本実施形態に係るリールシート１は、釣竿の竿杆８０に対して嵌入される筒状のリールシート本体２（以下、シート本体と称する）を備えており、このシート本体２に、以下の構成部材が設けられている。なお、シート本体２は、図示しない金型を用いて合成樹脂を射出成型することで一体形成することが可能である。
【００１５】
前記シート本体２は、図示されていないリールの脚部Ｒが載置されるように平坦面となったリール脚載置面３と、その前後に対向して配置され、リール脚Ｒを受け入れる開口部５ａ，６ａを有する一対のフード５，６とを有している。前記一対のフードの内、少なくとも一方は移動式に構成されており（本実施形態では後方側が移動フードとなっている；以下、移動フード６と称する）、公知のように、移動フード６に一体的に設けられた緊締レバー７の係止爪７ａを、緊締レバーを倒伏させて前記シート本体２に設けられた移動フード係止凹凸部材９に係合することでリールを締め付け固定できるよう構成されている。
【００１６】
前記シート本体２には、前記移動フード６が軸方向Ｘに沿って移動できるように、左右両側面に、移動フード６の移動を案内する案内部（案内溝）１０が軸方向Ｘに沿って所定範囲（移動フード６の移動長さに対応する）形成されている。この案内部１０には、図５に示すように、移動フード６の本体６Ａに一体形成された係合部６ｂが係合するようになっており、これにより、移動フード６はシート本体２から外れることなく、軸方向に沿って案内されるようになっている。なお、移動フード６は、図２、図３のＸ１方向から案内部１０に係合され、その端部に、後述する抜け止め部材２０を止着することで、軸方向へ抜け止めされるようになっている。
【００１７】
前記リール脚載置面３の後方側には、案内部１０に対応して前記移動フード係止凹凸部材９が取着されている。この移動フード係止凹凸部材９は、前記リール脚載置面３の表面に形成された凹所３ａ内に嵌合した状態で止着されている。
【００１８】
前記移動フード６、緊締レバー７、係止爪７ａ、及び移動フード係止凹凸部材９は、例えば、ステンレス、アルミニウム合金、チタン、真鍮等の金属によって一体的に形成されており、各フード６の内面には、例えば、樹脂等によって形成され、リールの脚部Ｒが当て付く当て付け部材が取着されている。
【００１９】
次に、シート本体２の案内部の一端（後端）に装着される抜け止め部材２０の構成について、図６から図９を併せて参照しながら説明する。なお、これらの図において、図６は図１のＡ−Ａ線に沿った断面図、図７は図１のＢ−Ｂ線に沿った断面図、図８は図７の要部拡大図、そして、図９は図１のＣ−Ｃ線に沿った断面図である。
【００２０】
前記抜け止め部材２０は、前記シート本体２に形成された前記案内部１０の後端側を覆うようにカバー体として形成されている。抜け止め部材２０の表面部２１は、図２、図３に示すように、略半楕円形状に形成されており、その表面部の縁から下方に垂下した壁部２２が形成されている。この壁部２２は、図４に示す案内部１０の後端側の側壁部分を覆うように取着される。
【００２１】
前記シート本体２には、前記案内部１０の後端側の左右両側に、上下方向に開口（延在）した第１凹部１２が形成されている。この第１凹部１２には、抜け止め部材２０を装着するに際して、抜け止め部材２０に形成された凸部２３が入り込むようになっている。この場合、凸部２３は、図７及び図８に示すように、前記壁部２２の下端部において、左右方向で互いに内向きとなるように突出形成されており、これらの凸部２３は、前記第１凹部１２の軸方向内面１２ａに当て付いて、抜け止め部材２０の軸方向の移動、特に後方側への抜けを規制するようにしている（図３、図４及び図９参照）。
【００２２】
また、前記第１凹部１２の内面には、前記抜け止め部材２０の凸部２３に対応して、第２凹部１２ｃが形成されている。この第２凹部１２ｃは、第１凹部１２の左右方向の内面１２ｂの下方側に形成されており、前記凸部２３は、この第２凹部１２ｃ内には、嵌入しないよう構成されている。すなわち、前記凸部２３は、抜け止め部材２０を上方側から装着する際、凸部２３の先端面２３ａと第１凹部１２の内面１２ｂとの間で隙間が生じる程度に形成されており、装着時に凸部２３が変形して破損等が生じないように構成されている。このため、図８に示すように、前記凸部２３の上方側には、隙間Ｇが形成された状態になっている。なお、第２凹部１２ｃは、第１凹部１２の後方側の窪んでない部分に形成しても良い（図４、図６参照）。このような位置に形成することで、後述する凹部埋部材が入り込んで抜け止め部材２０のがたつきや抜けが確実に防止される。
【００２３】
そして、前記第２凹部１２ｃ内には、凹部埋部材３０が充填されている。この場合、本実施形態の凹部埋部材３０は、抜け止め部材２０とは別体である接着剤として構成されており、抜け止め部材２０をシート本体２に装着する際、所定の位置に塗布することで構成される。このため、抜け止め部材２０を上方側から装着すると、凹部埋部材３０は、図８に示すように、凸部２３の上方側の隙間Ｇ内と第２凹部１２ｃ内に、軸方向断面視でオフセットした状態で充填されるため、抜け止め部材２０が抜け難くなって確実に固定することが可能となる。
【００２４】
上記した構成によれば、抜け止め部材２０には、凸部２３を形成しておき、かつ、シート本体２には、凸部２３が入り込む第１凹部１２、及び第１凹部内に第２凹部１２ｃを形成するだけで良く、前記抜け止め部材２０の凸部２３を、第１凹部１２内に設置すると、その凸部２３が第１凹部１２の軸方向内面１２ａに当て付くことで軸方向への移動が規制され、軸方向への抜け止めがなされる。また、上記したように、第２凹部１２ｃに接着剤である凹部埋部材３０が充填され、かつ、凸部２３の上方側の隙間Ｇ内にも凹部埋部材３０が充填されることから、抜け止め部材２０が上方に外れることが確実に防止でき、抜け止め部材２０ががたつくようなこともない。
【００２５】
そして、抜け止め部材２０には、左右の１箇所に凸部を形成し、かつ、シート本体２には、第１凹部１２と、第２凹部１２ｃを形成するだけで良く、その隙間に接着剤としての凹部埋部材３０を充填するだけの簡単な装着構造であることから、各部材に高い寸法精度が必要とされることはなく、寸法公差によるがたつきや装着時の破損が効果的に防止される。
【００２６】
また、本実施形態では、上記した構成の抜け止め部材２０をシート本体２に固定するに際して、図３、及び図６，図７に示すように、前記移動フード係止凹凸部材９の上面に当て付いて、その端部を保持するようにしている。すなわち、移動フード係止凹凸部材９は、リール脚載置面３の表面に形成された凹所３ａ内に嵌合した状態で止着されており、その端部９ａ部分については、抜け止め部材２０によって押え付けるようにしている。
【００２７】
このような構成によれば、移動フード係止凹凸部材９がめくれたり剥がれるようなことがなく、更には、リールの脚部Ｒを支持している移動フード６のがたつきを確実に抑制することが可能となる。
【００２８】
上記した実施形態における凹部埋部材３０については、抜け止め部材２０と別部材にすることなく、一体的な構造にすることが可能である。
【００２９】
図１０は、抜け止め部材の第１の変形例を示しており、上記した実施形態の図８に対応する図である。  
この変形例では、抜け止め部材２０Ａの凸部２３Ａを抜け止め部材と共に一体化して、シート本体２の第２凹部１２ｃに充填させており、凸部２３Ａを上記した実施形態における凹部埋部材として構成している。具体的に、凸部２３Ａは、ゴム、合成樹脂等によって形成されており、これを抜け止め部材２０Ａの壁部２２に形成された開口２３ｄに、圧入又は接着によって止着されて一体化されている。
【００３０】
このような構成の抜け止め部材２０Ａは、シート本体２の第１凹部１２に位置付けしながら圧入操作することで装着することができ、上記した実施形態と同様、軸方向の規制及び上方への抜けを防止する複数の突起を設ける必要がなく、簡単な構成で、抜け止め部材２０を確実かつがたつくことなく固定することが可能となる。
【００３１】
図１１は、抜け止め部材の第２の変形例を示しており、上記した実施形態の図８に対応する図である。  
この変形例では、抜け止め部材２０Ｂの凸部２３Ｂを抜け止め部材と一体形成して、シート本体２の第２凹部１２ｃに充填させており、凸部２３Ｂを上記した実施形態における凹部埋部材として構成している。具体的に、抜け止め部材２０Ｂは、全体をゴムや変形可能な樹脂等の弾性材によって形成されており、凸部２３Ｂも抜け止め部材と共に一体形成されている。
【００３２】
このような構成の抜け止め部材２０Ｂについても、シート本体２の第１凹部１２に位置付けしながら圧入操作することで装着することができ、上記した実施形態と同様、軸方向の規制及び上方への抜けを防止する複数の突起を設ける必要がなく、簡単な構成で、抜け止め部材２０Ｂを確実かつがたつくことなく固定することが可能となる。
【００３３】
以上、本発明の実施形態について説明したが、本発明に係るリールシートは、上記した実施形態に限定されることなく、適宜変形して実施することが可能である。  
上記した図１０及び図１１に示す変形例では、各凸部２３Ａ，２３Ｂの上方の隙間に、上述した実施形態と同様、凹部埋部材（接着剤）を充填しても良い。また、上記した実施形態におけるシート本体２の構成についても適宜変形することが可能であり、例えば、板状に構成されたものであっても良い。また、抜け止め部材２０によって移動フード係止凹凸部材９の端部を保持する構成については、抜け止め部材２０を上方側から装着して固定するものであれば、その抜け止め部材の構成については適宜変形することが可能である。さらに、移動フードについては、前後方向に設けても良く、この場合、両側に同様な装着構造を配設すれば良い。
【符号の説明】
【００３４】
１  リールシート
２  リールシート本体
６  移動フード
９  移動フード係止凹凸部材
１２  第１凹部
１２ａ  軸方向内面
１２ｃ  第２凹部
２０，２０Ａ，２０Ｂ  抜け止め部材
２３，２３Ａ，２３Ｂ  凸部
３０  凹部埋部材
【図１】
0005670873.tif 000002
【図２】
0005670873.tif 000003
【図３】
0005670873.tif 000004
【図４】
0005670873.tif 000005
【図５】
0005670873.tif 000006
【図６】
0005670873.tif 000007
【図７】
0005670873.tif 000008
【図８】
0005670873.tif 000009
【図９】
0005670873.tif 000010
【図１０】
0005670873.tif 000011
【図１１】
0005670873.tif 000012